(57)【要約】【課題】トイレットペーパーを衛生的に保管でき、且つトイレ内の雰囲気を高めて癒しを与えると共に、使用後はアクリルたわしとして有用なトイレットペーパーカバーを提供する。【解決手段】アクリル毛糸で編まれたトイレットペーパーカバーであって、内部にトイレットペーパーを収納する収納部を有する筒部と、同筒部の上部を閉じる２重構造とした頭部と、該筒部の下部開口部の全周にわたって設けられた弾性ゴムとから胴体部を構成すると共に、この胴体部の外周部に細長状の手足を設けて人形形状とする。【選択図】図１
0003148181.tif 000002
【実用新案登録請求の範囲】
【請求項１】
アクリル毛糸で編まれたトイレットペーパーカバーであって、
内部にトイレットペーパーを収納する収納部を有する筒部と、同筒部の上部を閉じる２重構造とした頭部と、該筒部の下部開口部の全周にわたって設けられた弾性ゴムとから胴体部を構成すると共に、この胴体部の外周部に細長状の手足を設けて人形形状としたことを特徴とするトイレットペーパーカバー。
【考案の詳細な説明】
【技術分野】
【０００１】
本考案は、トイレットペーパーカバーに関し、特にアクリルたわしとしても有用なトイレットペーパーカバーに関するものである。
【背景技術】
【０００２】
トイレ内に予備トイレットペーパーをストックするに当たっては、例えば特許文献１に示すようなトイレットペーパーホルダーカバーを用いて、使用中のトイレットペーパーの下部に予備のトイレットペーパーを収納保持するようにしている。しかし、このようなトイレットペーパーカバーを用いない場合や、更に複数個の予備のトイレットペーパーを準備する場合には、一般的にトイレ室内の棚や窓枠部分の段差部にトイレットペーパーをむき出しに積み重ねて置いている。
【０００３】
また、アクリルたわしはアクリルの毛糸で編まれたもので、非常に細い繊維の集まりでできているので、そのミクロンの繊維で汚れをかき落とすことができ、食器洗いやシンクの掃除、お風呂掃除等で幅広く用いられている。
【特許文献１】実開平７−１３２９３号公報
【考案の開示】
【考案が解決しようとする課題】
【０００４】
従来のように、トイレ室内の棚や窓枠部分の段差部分にむき出しに積み重ねて置いた場合には、埃が付き易く不衛生であるばかりか、トイレ内が殺風景で寂しく、例えばレストラン等の商店ではお店のイメージダウンにも成りかねない。また、従来のアクリルたわしは、単にたわしのみとして使用することを目的とするもので、非常にもったいないものであった。
【０００５】
本考案は、上記従来の問題に鑑みなされたもので、トイレ内に予備のトイレットペーパーを保管するに当たって、トイレットペーパーを衛生的に保管でき、且つトイレ内の雰囲気を高めて癒しを与えると共に、使用後はアクリルたわしとして有用なトイレットペーパーカバーを提供するものである。
【課題を解決するための手段】
【０００６】
本考案は、アクリル毛糸で編まれたトイレットペーパーカバーであって、
内部にトイレットペーパーを収納する収納部を有する筒部と、同筒部の上部を閉じる２重構造とした頭部と、該筒部の下部開口部の全周にわたって設けられた弾性ゴムとから胴体部を構成すると共に、この胴体部の外周部に細長状の手足を設けて人形形状としたことを最も主要な特徴とする。
【考案の効果】
【０００７】
本考案のトイレットペーパーカバーは、人形形状に編まれたトイレットペーパーカバー内にトイレットペーパーを収納して、トイレ室内の棚や窓枠部分の段差部分に置くようにしたので、埃が付くこともなく衛生であるばかりか、トイレ内の雰囲気を明るくし使用者に癒しを与えて不快感を与えないものとなる。よって、レストラン等の商店においてはお店のイメージアップにも繋げることができる。
【０００８】
また、トイレットペーパーカバーの下部開口部周囲に弾性ゴムを設けてなるので、トイレットペーパーをしっかりと内部に収納した状態に保持でき、仮にトイレットペーパーカバーに触れられても無造作に外れてトイレットペーパーがむき出しになったりすることもない。更に、トイレットペーパーカバー本体を用いて室内に吊るして保管するようにすることもできる。
【０００９】
また、使用後には、トイレットペーパーに代えて手を差し入れてアクリルたわしとして用いると、下部開口部周囲に設けた弾性ゴムが手首部分にフィットし、手の抜け止めとなり使用時に不用意に抜けてしまうこともなく作業性がよいという利点がある。
【考案を実施するための最良の形態】
【００１０】
以下、図を用いて本考案のトイレットペーパーカバー本体の１実施例について詳細に説明する。図１は、本考案装置の１実施例の正面図、図２は本考案装置の１実施例の断面図、図３は本考案装置の１実施例の底面図である。
【実施例１】
【００１１】
図中、トイレットペーパーカバー本体１は、アクリルの毛糸編みされた材質を用いて形成されてなり、内部にトイレットペーパーＰを収納する同トイレットペーパーPの高さ寸法よりも少し長めに設定された収納部２１を有する筒状の胴部２と、同胴部２の上部を閉塞する２重構造の頭部３と、該胴部２の下部開口部４周囲に設けた弾性ゴム５と、該胴部２の外周部に設けられた細長形状の手足部材６とから構成し人形形状に形成している。
【００１２】
次に、その製造方法について説明する。
先ず、図４に示すように、下部を開口した筒状部材１１と、円形の帽子部材１２と、手足となる細長部材１３をそれぞれ編み形成する。そして、筒状部材１１の頭部に帽子部材１２を編み付けて２重構造の頭部３とする。次に、筒状部材１１の下部開口周縁に弾性ゴムを通すと共に、筒状部材１１の外周部分の所要位置に細長部材１３をそれぞれ編み付ければ図１に示す人形形状のトイレットペーパーカバー本体１となる。
【００１３】
次に使用時について以下説明する。
先ず、トイレットペーパーカバー本体１の下部開口部４を、弾性ゴム５の弾性力に抗して広げ、同下部開口部４からトイレットペーパーＰを挿入すると、図２及び図３に示すように収納部２１内に該トイレットペーパーＰが収納保持されると共に、弾性ゴム５にて胴部２下部がトイレットペーパーＰの下部に亘って包み込むようにして保持する。なお、必要に応じて目や口などを付けてもよい。
【００１４】
この状態で、図１に示すようにトイレ室内の棚に置けば、埃が付くこともなく衛生的に保管することができる。また、トイレ室内のイルミネーションとしてマスコット人形を飾ることができるので、トイレ内の雰囲気を明るくし、且つ使用者へ癒しを与える役目を果たしてくれる。よって、お店のトイレであれば店のイメージアップにつなげることができる。
【００１５】
また、弾性ゴム５にて胴部２下部がトイレットペーパーＰの下部に亘って包み込むようにしてなるので、不用意にトイレットペーパーカバー本体１が外れることもない。更にトイレ室内に棚がない場合、図５に示すように頭部３の中央にループ部材７を設けることにより、トイレ室内に吊して置くこともできる。
【００１６】
なお、トイレットペーパーカバー本体１からトイレットペーパーＰを取り出す場合には、下部開口部４を弾性ゴム５に抗して広げて内部よりトイレットペーパーＰを取り出せばよい。
【００１７】
次に、トイレットペーパーカバー本体１をアクリルたわしとして使用する場合には、図６に示すようにトイレットペーパーＰに代えて手を内部に挿入すると、丁度弾性ゴム５が手首にフィットし抜け止め防止となるので、清掃時に不用意にアクリルたわし（トイレットペーパーカバー本体１）が外れることがなく作業性が良い。
【００１８】
この時、頭部３を２重構造とし厚くしてなるので、汚れを落とすのも楽にできる。また、手足部材６を手で持って清掃すれば細かな部分を清掃するのに最適となる。
そして、汚れたら洗って干せば繰り返し使用できる。
【００１９】
以上のように、トイレットペーパーカバー本体とアクリルたわしを兼用して使用でき、環境に優しいエコ商品を提供することができる。
【産業上の利用可能性】
【００２０】
トイレットペーパーカバー本体として、またアクリルたわしとして使用できる。
【図面の簡単な説明】
【００２１】
【図１】本考案装置のトイレットペーパーカバーの正面図である。
【図２】本考案装置のトイレットペーパーカバーの断面図である。
【図３】本考案装置のトイレットペーパーカバーの底面図である。
【図４】本考案装置のトイレットペーパーカバーの部品を示す説明図である。
【図５】本考案装置のトイレットペーパーカバーを吊した場合を示す斜視図である。
【図６】本考案装置のトイレットペーパーカバーをアクリルたわしとして使用する際に手を挿入した状態を示す断面図である。
【符号の説明】
【００２２】
１    トイレットペーパーカバー本体
２    胴部
２１    収納部
３    頭部
４    下部開口部
５    弾性ゴム
６    手足部材
７    ループ部材
１１    筒状部材
１２    帽子部材
１３    細長部材
Ｐ    トイレットペーパー
【図１】
0003148181.tif 000003
【図２】
0003148181.tif 000004
【図３】
0003148181.tif 000005
【図４】
0003148181.tif 000006
【図５】
0003148181.tif 000007
【図６】
0003148181.tif 000008